Podtech/llm-jp-corpus-v4-ja_patent huggingface dataset:
(57)【要約】角形ボトル本体（１０１）と角形口部（１０２）とが一体化されており、角形口部（１０２）にキャップ（１０３）が装着されていないとき、その高さＨ１はボトル本体の高さＨ３と同じであり、キャップ（１０３）を装着した後、その高さＨ２はボトル本体の高さＨ３よりも高くなる。角形ボトル本体（１０１）の底部には面取り角形の凹部（１０８）を有しており、凹部（１０８）の内径はキャップ（１０３）の外径形状および大きさで一致しており、凹部（１０８）の深さはＨ２からＨ３から差し引いた値に等しく、他方の同じ角形ボトルのキャップに嵌合することで、積み重ね置きの目的を達成することができ、運搬および保管中にて空間を節約できる。本発明では更に内容物を注ぎ出しやすくする角形口部（１０２）も提供する。【選択図】図１
2015533745.tif 000002
【特許請求の範囲】
【請求項１】
角形ボトル本体（１０１）と、角形口部（１０２）と、キャップ（１０３）とを備えており、ボトル本体（１０１）の垂直高さはＨ３であり、キャップ（１０３）を口部（１０２）に装着した後、底部からキャップ最上部までの垂直高さはＨ２となり、Ｈ２からＨ３を差し引いて得られた値は、キャップがボトル本体よりも高くなる高さＨ２−Ｈ３であり、角形ボトル本体（１０１）の底部には面取り角形の凹部を有しており、凹部の内径はキャップ（１０３）の外径形状および大きさで一致しており、深さはＨ２−Ｈ３に等しくなることで、他方の全く同じ角形ボトルのキャップに嵌合して、積み重ね置きの目的を達成することができる、ことを特徴とする積み重ね可能な角形ボトル。
【請求項２】
ボトル本体が面取り角形である、ことを特徴とする請求項１に記載の角形ボトル。
【請求項３】
口部外径が円形であり、内径が面取り角形である、ことを特徴とする請求項１に記載の角形ボトル。
【請求項４】
口部にキャップ装着されていないときに、底部から口部上部までの高さＨ１が前記ボトル本体Ｈ３の高さと同じである、ことを特徴とする請求項３に記載の角形ボトル。
【発明の詳細な説明】
【技術分野】
【０００１】
本発明は積み重ね可能な角形ボトルに関し、角形ボトル本体と角形口部とが一体とされている。角形ボトル同士は積み重ね置きすることができ、運搬および保管において空間を更に節約し、角形口部は内容物を注ぎ出しやすくしている。
【背景技術】
【０００２】
従来のボトルは通常円形であって、運搬および保管過程において、積み重ねる方式で緊密して置くことが難しく、運搬および保管空間の利用効率が高くなく、運搬過程にてぶつかったり、擦れ合ったりしやすくなるため、損失を引き起こしてしまう。従来の口部は通常円形であるうえ、ボトル本体の中心軸上に位置していることから、内容物を傾けて注ぎ出すときに、内容物が集まりにくく、とりわけ円形ボトル本体に直径が過度に大きくなると、口部を掴みにくくなり、内容物がこぼれて無駄を招いてしまう。
【発明の概要】
【０００３】
上記問題を解決するために、本発明の一つの目的では積み重ね可能な角形ボトルを提供するものである。角形ボトル本体は密着して置くことができ、底部には凹部を有することで、他の角形ボトルのキャップに嵌合して、積み重ね置きすることができることから、空間を有効利用し、置くときの安定性を高めることができる。本発明の口部の他の目的は外円内角となる口部を提供するところにあり、角形内径は内容物を傾けて注ぎ出すときに注ぎ方向を調節しやすく、内容物を傾けて注ぎ出すときにこぼれて無駄を招いてしまうことを効果的に低減することができる。
【図面の簡単な説明】
【０００４】
【図１】本発明の角形ボトルのキャップ未装着時の側面図。
【図２】本発明の角形ボトルのキャップ装着後の側面図。
【図３】本発明の角形ボトルのキャップ未装着時の平面図。
【図４】本発明の角形ボトルのキャップ装着後の平面図。
【図５】本発明の角形ボトルの底面図。
【発明を実施するための形態】
【０００５】
図１を参照する。ボトル本体１０１は面取り角形であって、キャップ未装着時にて、口部１０２の高さＨ１はボトル本体１０１の高さＨ３と同じである。
【０００６】
図２を参照する。キャップ１０３装着後、ボトル全体の高さＨ２はボトル本体１０１の高さＨ３よりも高くなることで、他方の同じ角形ボトルの底部凹部に嵌合して、積み重ね置きの目的を達成する。
【０００７】
図３を参照する。１０４は口部とボトル本体部分との結合箇所であって、口部外径１０５は円形であり、口部内径１０６は面取り角形である。
【０００８】
図４を参照する。キャップ１０３の外径１０７は面取り角形であり、その内径は円形で、口部外径１０５に噛み合わされる。
【０００９】
図５を参照する。底部には凹部１０８を有しており、凹部の内径はキャップ１０３の外径形状および大きさで一致しており、凹部の深さはＨ２からＨ３を差し引いた値に等しいことから、他方の同じ角形ボトルのキャップに嵌合して、積み重ね置きの目的を達成することができる。
【図１】
2015533745.tif 000003
【図２】
2015533745.tif 000004
【図３】
2015533745.tif 000005
【図４】
2015533745.tif 000006
【図５】
2015533745.tif 000007
【国際調査報告】
2015533745.tif 000008
2015533745.tif 000009
2015533745.tif 000010
2015533745.tif 000011
2015533745.tif 000012
(57)【要約】【課題】紐結束具の下板と上板の遊動結着部を改善し、下板の構造も単純にして、製作が容易で、生産性を向上させることができる紐結束具を提供すること。【解決手段】下板（２）の中間に穴（６）が形成され、この穴（６）の一部をヒンジ軸として利用して、中間に押圧棒（５）が形成されている上板（１）と遊動可能に結合して紐を結束することができるようにしたことを特徴とする。本発明の一実施例による紐結束具は、下板の両側端に紐固定溝が形成され、下板の中間に穴が形成され、この穴の一部をヒンジ軸として利用して、中間に押圧棒が形成されている上板と遊動可能に結合して紐を結束することができるようにしたことを特徴とする紐結束具。【選択図】図１
2015515880.tif 000002
【特許請求の範囲】
【請求項１】
下板の中間に穴が形成され、この穴の一部をヒンジ軸として利用して、中間に押圧棒が形成されている上板と遊動可能に結合して紐を結束することができるようにしたことを特徴とする紐結束具。
【請求項２】
下板の両側端に紐固定溝が形成されていることを特徴とする請求項１に記載の紐結束具。
【発明の詳細な説明】
【技術分野】
【０００１】
本発明は運動靴、登山靴、軍靴などの様々な履物と二つの紐を結束するためのものである。詳しくは、本発明を利用してより早く二つの紐を結んだり解くことができるようにするためのものである。
【背景技術】
【０００２】
一般に、履物は二つの紐を利用して、紐の穴を交差するように通過させて引っ張って二つの紐を結び目を作って結ぶ方式である。しかし、この結び方は結んでから解くことが非常に煩雑で、時間が長くかかるとともに、時間が経つにつれて緩くなって、結局自ら解けてしまう問題が発生する。そこで、結びなおさなければならなく、解けた紐が他方の足に踏まれたり他の物体にかかる場合、倒れてけがをする虞もある。
【０００３】
本出願人は、このような問題点を解消するために、大韓民国特許出願第１０２００６０１０２６９３号を通じて紐結束具を提案した。
【０００４】
ところが、本出願人の先出願における紐結束具は、構造が複雑で製作が困難であるという問題点があった。また、製品の特性上、小さく製作しなければならないが、構造が複雑で、小さく製作しにくいという短所があった。従って、製品が大きくて消費者の呼応を得ることができない結果をもたらした。
【発明の開示】
【発明が解決しようとする課題】
【０００５】
本発明は上記のような問題点を解決するために提案されたもので、紐結束具の下板と上板の遊動結着部を改善し、下板の構造も単純にして、製作が容易で、生産性を向上させることができる紐結束具を提供することをその目的とする。
【課題を解決するための手段】
【０００６】
上記の目的を実現するために、本発明の一実施例による紐結束具は、下板の中間に穴が形成され、この穴の一部をヒンジ軸として利用して、中間に押圧棒が形成されている上板と遊動可能に結合して紐を結束することができるようにしたことを特徴とする。
【０００７】
本発明の一実施例による紐結束具は、下板の両側端に紐固定溝が形成されており、下板の中間に穴が形成され、この穴の一部をヒンジ軸として利用して、中間に押圧棒が形成されている上板と遊動可能に結合して紐を結束することができるようにしたことを特徴とする。
【発明の効果】
【０００８】
上記のように、ヒンジ軸を別途に構成して、ヒンジ結合して遊動可能にしたものを、下板の穴の一部を利用する画期的な方法で、上板と下板を遊動的に結合することによって、従来には小さく製作しにくかった短所を改善して、製品を小さく製作することができるとともに、生産性も向上され、本発明を運動靴、登山靴などの履物に着用した時、製品の小型により、軽量で、見掛けの良い效果を奏する。
【図面の簡単な説明】
【０００９】
【図１】本発明の上板と下板を広げた状態の平面図である。
【図２】先出願した発明の平面図（イ）、正面図（ロ）、側面図（ハ）である。
【図３】先出願した発明の結合状態を示した断面図である。
【図４】本発明の結合状態を示した断面図である。
【図５】本発明の広げた状態の側面図である。
【図６】本発明の結合した状態の側面図である。
【図７】本発明の図１のＡ−Ａ線に沿う断面図である。
【図８】本発明の一実施例による平面図である。
【図９】図８の側面図である。
【発明を実施するための形態】
【００１０】
下板の中間に穴が形成され、この穴の一部をヒンジ軸として利用して、中間に押圧棒が形成されている上板と遊動可能に結合して紐を結束することができるようにしたことを特徴とする紐結束具。下板の両側端に紐固定溝が形成されていることを特徴とする紐結束具。
【００１１】
＜実施形態＞
以下、添付された図面を参照して詳しく説明すれば次の通りである。
【００１２】
図２は本出願人が先出願した発明である紐結束具の平面図（イ）、正面図（ロ）、側面図（ハ）で、下板２にヒンジ軸４を設置し、これに上板１のヒンジ片３をかけて遊動可能に結合した紐結束具の下板２の穴６を通じて二つの紐７を下板２の下から上へ挿入した後、二つの紐７を引っ張って、両側の締付片９にそれぞれかけ、紐結束具の上板１を下へ押せば、図３のように、押圧棒５が二つの紐７の間を通して同時に下板２の穴６に挿入されながら、紐７を圧迫して、二つの紐７を結束する構造である。このような先出願発明は、ヒンジ軸４が占める面積が広く、小さく製作しにくいという問題点があった。図１のように、本発明は、紐結束具の下板２の穴６の一部をヒンジ軸４の役割を果たすようにして、上板１と遊動可能に結合し、下板２の穴６の下部からも二つの紐７を上部へ挿入して、両側に引っ張りながら、上板１の押圧棒５で二つの紐を圧迫して二つの紐７を結束するようにするものである。
【００１３】
＜産業上の利用可能性＞
本発明は運動靴、登山靴等の様々な履物に利用することができ、構造が簡単で、且つ製作が容易であるという長所がある。
【符号の説明】
【００１４】
１：上板  
２：下板  
４：ヒンジ軸  
５：押圧棒  
６：穴  
７：紐  
９：締付片  
１１：紐固定溝
【図１】
2015515880.tif 000003
【図２】
2015515880.tif 000004
【図３】
2015515880.tif 000005
【図４】
2015515880.tif 000006
【図５】
2015515880.tif 000007
【図６】
2015515880.tif 000008
【図７】
2015515880.tif 000009
【図８】
2015515880.tif 000010
【図９】
2015515880.tif 000011
【国際調査報告】
2015515880.tif 000012
2015515880.tif 000013
2015515880.tif 000014
2015515880.tif 000015
(57)【要約】  ２つの部品を備えるクランプであって、１つが胴部と接触している柔軟な内側部品であり、もう１つが内側部品と接触している剛性の外側部品であるクランプ。内側部品は、この内側部品の全長にわたって長手方向の切り欠き部を有し、内側部品は閉鎖している。内側部品は、胴部と接触する部分に、２つの中央凹部を有する。内側部品の柔軟性により、胴部を破損せずに固定するのにちょうど十分な圧力を印加することができる。さらに、内側部品は、この内側部品の外側かつマウスピースの開口に最も近い端部に、外側部品が滑り落ちるのを防止するためのリングを有する。剛性で、内側部品に作用するこの外側部品は、内側部品と同じ円錐形である。外側部品は、内側部品の望ましくない開口を防止し、ちょうど十分である内側部品への圧力を印加する機能を有する。クランプの両部品は、内部に中央凹部を有するため、クランプは全体的にマウスピースの共鳴ケースを形成し、凹部の長さおよび奥行きの点でのサイズに応じて、かつクランプを生産する材料に応じて、より大きい音量および様々な音色を提供する。内側部品の柔軟性により、この内側部品の３つの内部リングを異なる平面内に設置したとしても、胴部の破損が防止される。【選択図】図４
2015507767.tif 000002
【特許請求の範囲】
【請求項１】
２つの部品を有する円錐状クランプであって、柔軟な内側部品が、全長にわたる長手方向の切り欠き部、３つの内側リングおよび音響チャンバを有するほか、マウスピース連結具に最も近い部分に、外側部品をスライドさせることで起こる圧力によって胴部をマウスピースに連結する外側リングを有し、前記外側部品は、剛性で、切り欠き部は有さずに内部に２つのリングを各端部に１つずつ有するとともに、音響チャンバを有し、任意の種類の材料で作製されたあらゆる種類のサクソフォーンに対し、胴部をマウスピースに連結して保持して使用するためのクランプ。
【発明の詳細な説明】
【技術分野】
【０００１】
本発明は、サクソフォーンおよびクラリネットのマウスピースに胴部を連結・保持して使用するためのクランプに関する。
【０００２】
本発明は、２つの円錐部品を有するクランプを開示し、２つの円錐部品とは、胴部とマウスピースとを接触させる内側部品、および柔軟な内側部品を包囲する剛性の外側部品であり、両部品は、任意の種類の材料または材料を組み合わせたものから製造されて、胴部およびマウスピースを連結する必要のあるこのような楽器に使用される。内側部品は、その内壁に、マウスピースおよび胴部に最も近い所で、内側部品の中央部に２つの凹部を有し、これによって３つの内側リングを有し、具体的には端部に２つ、中央部にもう１つ有する。外側部品は、その内側中央部に単一の凹部を有し、よって、単一構造内の端部に２つの円錐リングを各円錐の口部に１つずつ有する。
【０００３】
中央部にあるこのような凹部は、内側部品の場合、所望の音調に応じて様々な寸法であってよい。
【背景技術】
【０００４】
マウスピースおよび胴部は、本明細書に開示する楽器、つまりサクソフォーンおよびクラリネットの基本的部品であり、一緒に使用して単一の本体を形成するものでなければならず、胴部の一部はマウスピースに恒久的に接触し、残りの部分は遊離していて、ある程度の柔軟性を持つことができ、これによってそれぞれの楽器のマウスピースおよび本体には空気が入る。現在、この種の楽器には金属製のクランプが使用され、必要なクランプ圧力は、半分のクランプを２つ一緒に連結するネジを用いて得られ、このとき胴部との接触点が３つ以上になる。
【０００５】
このクランプの欠点は、音響チャンバがない上に胴部との接触点が３つ以上あり、この接触点が同一平面上にないことがあるために音が失われるほか、破損が起きるおそれがあり、実際にこの破損が起き、クランプが回って動くこともある点である。
【０００６】
一方、単一の円錐状剛性部品で形成されたクランプであって、ある程度の破損のリスクがある圧力によって胴部をマウスピースに保持するクランプが最近使用されている。中央内部に凹部を有するそのようなクランプには破損のリスクがないが、特定の胴部としか使用できず、その結果、異なる胴部を使用するたびにそのクランプを、厚みも幅も以前のものと一致する寸法である新しいものに交換しなければならない。
【０００７】
本明細書に開示するクランプは、２つの欠点を解決するものである。つまり、胴部と接触している内側部品の柔軟性が、この部品自体の物理的特性により正確なクランプ圧力を印加するために、破損のリスクがあるという欠点、および、内側部品も外側部品も両方、形態構造の観点から音響チャンバとして作用するために音が失われるという欠点である。
【発明の概要】
【課題を解決するための手段】
【０００８】
本明細書に開示した２つの部品からなるクランプは、任意の種類の材料で作製され、所望の音調または音の特徴に応じて各部品を異なる材料で作製することもできる。
【０００９】
内側の円錐部品は、全長にわたって長手方向の開口を有し、この開口によって円錐部品が柔軟になり、この開口は厚みおよび幅に応じて様々な胴部に対して調整することができる。円錐部品の内側で胴部と接触する所は、３つのリングを形成する２つの中央凹部を有し、リングは各端部に１つずつ、中央にもう１つあり、３つとも同じ平面内にあり、これが２つの音調チャンバになり、これによって音は漏れたり失われたりすることがない。
【００１０】
このほか、円錐部品は、その外側部分のマウスピース連結具に最も近い所に位置する端部にリングを有し、外側部品が外れたり滑り落ちたりするのを防止する。
【００１１】
円錐形でもある外側部品は、閉鎖状態に製造され、内側部品と嵌合する部分に中央凹部を有し、このようにして２つのリングを各端部に１つずつ形成する。内側部品と軸の傾斜が同じである円錐形状には、内側部品の望ましくない開口およびこれに伴い内側部品の望ましくない何らかの動きを防止するという唯一の機能を有する。円錐部品の内部には中央凹部もあるため、円錐部品は音響チャンバも有する。
【図面の簡単な説明】
【００１２】
【図１】（頁１）。クランプアセンブリの図であり、内側部品の長手断面を開示し、このアセンブリの閉鎖を調整する動きを描いている図である。
【図２】（頁２）。調整および閉鎖を行う外側リングと様々な動きとを示す図である。
【図３】（頁３）。外側リングがマウスピース連結具に最も近い端部に見え、これによって外側部品が押し出されるのを防止し、１回の動きでクランプを設置できる内側部品を示す図である。
【図４】（頁４）。アセンブリを形成する２つの部品の内部の図であり、中央凹部を見ることができ、こうすることで、胴部もしくは内側部品のいずれかにかかる圧力、または最小であっても外側部品が内側部品にかける圧力の様々な動きおよび様々なかかり方の構図がわかる図である。
【図１】
2015507767.tif 000003
【図２】
2015507767.tif 000004
【図３】
2015507767.tif 000005
【図４】
2015507767.tif 000006
【国際調査報告】
2015507767.tif 000007
2015507767.tif 000008
2015507767.tif 000009
2015507767.tif 000010